(57)【特許請求の範囲】
【請求項１】
被取付部材の貫通孔に貫通されたボルトにナットを螺着して前記被取付部材を締結する際に用いられる締結装置であって、
前記被取付部材および前記ナット間に介在され、略液密な充填空間を有し前記ナットの前記ボルトへの螺着により破裂可能な袋体と、
この袋体の充填空間内に充填された液状充填材と、
前記被取付部材および前記ナット間に介在され略裁頭形状に形成された１つの皿ばね座金と、を具備し、
前記袋体は、前記ボルトを挿通する略環状に形成され、前記被取付部材または前記ナットと前記皿ばね座金の内周面側との間に配置される
ことを特徴とした締結装置。
【請求項２】
被取付部材の貫通孔に貫通されたボルトにナットを螺着して前記被取付部材を締結する際に用いられる締結装置であって、
前記被取付部材および前記ナット間に介在され、略液密な充填空間を有し前記ナットの前記ボルトへの螺着により破裂可能な袋体と、
この袋体の充填空間内に充填された液状充填材と、
前記被取付部材および前記ナット間に介在され略裁頭形状に形成された１つの皿ばね座金と、を具備し、
前記袋体は、内周側を外周側に連通させる切欠を有し、該切欠を開くことで前記ボルトが挿通可能となる平面視略Ｃ字状に形成され、前記被取付部材または前記ナットと前記皿ばね座金の内周面側との間に配置される
ことを特徴とした締結装置。
【請求項３】
請求項１または請求項２に記載の締結装置であって、
前記袋体は、前記充填空間が周方向で複数区画形成された
ことを特徴とした締結装置。
【請求項４】
請求項１ないし請求項３のいずれかに記載の締結装置であって、
前記袋体は、合成樹脂フィルムにて形成された
ことを特徴とした締結装置。
【請求項５】
請求項１ないし請求項４のいずれかに記載の締結装置であって、
前記ボルトは、ＰＣ（Prestressed Concrete）鋼棒であり、
前記被取付部材は、アンカープレートであり、
前記液状充填材は、防錆剤である
ことを特徴とした締結装置。
【請求項６】
請求項１ないし請求項５のいずれかに記載の締結装置であって、
前記皿ばね座金における前記袋体が配置される内周面と、前記被取付部材または前記ナットとの間に介在される座金を具備した
ことを特徴とした締結装置。
【請求項７】
被取付部材の貫通孔に貫通されたボルトにナットを螺着して前記被取付部材を締結する締結方法であって、
液状充填材を略液密に充填し前記ボルトを挿通する略環状に形成された袋体と、内周面側に前記締結部材が配置される略裁頭形状に形成された１つの皿ばね座金とを備えた締結装置を用い、
前記被取付部材と前記ナットとの間に位置する状態に前記皿ばね座金を配置させるとともに、該皿ばね座金の内周面側と前記被取付部材または前記ナットとの間に前記袋体を配置させ、
前記ナットを前記ボルトに螺着させて前記袋体を破裂させて前記液状充填材を前記貫通孔と前記ボルトとの間に流入させる
ことを特徴とする締結方法。
【請求項８】
被取付部材の貫通孔に貫通されたボルトにナットを螺着して前記被取付部材を締結する締結方法であって、
液状充填材を略液密に充填し内周側を外周側に連通させる切欠を有し該切欠を開くことで前記ボルトが挿通可能となる平面視略Ｃ字状に形成された袋体と、内周面側に前記締結部材が配置される略裁頭形状に形成された１つの皿ばね座金とを備えた締結装置を用い、
前記被取付部材と前記ナットとの間に位置する状態に前記皿ばね座金を配置させるとともに、該皿ばね座金の内周面側と前記被取付部材または前記ナットとの間に前記袋体を配置させ、
前記ナットを前記ボルトに螺着させて前記袋体を破裂させて前記液状充填材を前記貫通孔と前記ボルトとの間に流入させる
ことを特徴とする締結方法。
【発明の詳細な説明】
【技術分野】
【０００１】
本発明は、被取付部材の貫通孔に貫通されたボルトにナットを螺着して前記被取付部材を締結する際に用いられる締結装置、および、締結装置を用いた締結方法に関する。
【背景技術】
【０００２】
従来、例えばＰＣ杭の製造の際に、ＰＣ鋼棒とこのＰＣ鋼棒を貫通し緊張力を作用させるアンカープレートとの間に隙間が生じる。このことにより、ＰＣ鋼棒が腐蝕して遅れ破壊が生じるおそれがある。
したがって、従来では、例えばナットをＰＣ鋼棒に螺着して緊張力を作用させる前にＰＣ鋼棒とアンカープレートとの間の隙間に、タールやグリースなどの充填材を充填している。
【発明の開示】
【発明が解決しようとする課題】
【０００３】
しかしながら、上述したように、充填材を充填する作業は煩雑で、作業の効率性が望まれている。
【０００４】
本発明の目的は、このような点に鑑みて、被取付部材とこの被取付部材に貫通されるボルトとの間への液状充填材の充填が容易な締結装置、および、締結方法を提供することにある。
【課題を解決するための手段】
【０００５】
本発明に記載の締結装置は、被取付部材の貫通孔に貫通されたボルトにナットを螺着して前記被取付部材を締結する際に用いられる締結装置であって、前記被取付部材および前記ナット間に介在され、略液密な充填空間を有し前記ナットの前記ボルトへの螺着により破裂可能な袋体と、この袋体の充填空間内に充填された液状充填材と、前記被取付部材および前記ナット間に介在され略裁頭形状に形成された１つの皿ばね座金と、を具備し、前記袋体は、前記ボルトを挿通する略環状に形成され、前記被取付部材または前記ナットと前記皿ばね座金の内周面側との間に配置されることを特徴とする。
この発明では、液状充填材が充填された略液密な充填空間を有しナットのボルトへの螺着により破裂可能な袋体を、被取付部材およびナット間に配置させる。そして、ナットの螺着により、袋体の充填空間が破裂して充填された液状充填材が流れ出して貫通孔内に流通して被取付部材の貫通孔とボルトとの間に液状充填材が流れ込んで充填される。
このことにより、ナットを螺着する作業のみで被取付部材およびボルト間の隙間が液状充填材にて充填され、被取付部材の締結作業性が向上する。
ここで、液状充填材としては、水溶液のような粘性の低いものの他、例えばグリースやペーストなどのような粘性を有したものなど、いずれの流動性物を対象とすることができる。
この発明では、袋体をボルトが挿通する略環状に形成している。
このことにより、座金のように装着させるのみで、締結作業性を向上できる。
この発明では、略裁頭形状に形成された皿ばね座金を被取付部材および前記ナット間に配設するとともに、被取付部材またはナットと皿ばね座金の内周面側との間に袋体を配置させる。そして、ナットの螺着により、皿ばね座金が略平板上に変形されつつ締結部材の袋体が内周側であるボルト側に向けて破裂する状態となる。
このことにより、袋体が破裂して流れ出る液状充填材は、良好に被取付部材の貫通孔およびボルト間に流れ込み易く、広く出回っている簡単な構成の皿ばね座金を利用する簡単な構成で、より効率よく良好に充填できる。
【０００６】
そして、本発明に記載の締結装置は、被取付部材の貫通孔に貫通されたボルトにナットを螺着して前記被取付部材を締結する際に用いられる締結装置であって、前記被取付部材および前記ナット間に介在され、略液密な充填空間を有し前記ナットの前記ボルトへの螺着により破裂可能な袋体と、この袋体の充填空間内に充填された液状充填材と、前記被取付部材および前記ナット間に介在され略裁頭形状に形成された１つの皿ばね座金と、を具備し、前記袋体は、内周側を外周側に連通させる切欠を有し、該切欠を開くことで前記ボルトが挿通可能となる平面視略Ｃ字状に形成され、前記被取付部材または前記ナットと前記皿ばね座金の内周面側との間に配置されることを特徴とする。
この発明では、上記略環状の袋体に代えて内周側が外周側に連通しボルトを挿通可能な切欠を有した平面視略Ｃ字状に形成している。
このことにより、ボルトにナットを取り付けた状態でも切欠からボルトを内周側に挿通させて被取付部材とナットとの間に配置させることができ、締結作業性を向上できる。
【０００７】
また、本発明では、前記袋体は、前記充填空間が周方向で複数区画形成された構成とすることが好ましい。
このことにより、ナットの螺着による複数の充填空間の破裂により、複数の箇所から液状充填材が被取付部材の貫通孔とボルトとの間に流れ込んで、液状充填材による隙間の良好な充填が得られる。
【０００８】
また、本発明では、前記袋体は、合成樹脂フィルムにて形成された構成とすることが好ましい。
このことにより、ナットの螺着により破裂して液状充填材が流れ出る構成が容易に得られるとともに、液状充填材を充填する製造も容易で、安価に提供できる。
【０００９】
さらに、本発明では、前記ボルトは、ＰＣ（Prestressed Concrete）鋼棒であり、前記被取付部材は、アンカープレートであり、前記液状充填材は、防錆剤である構成とすることが好ましい。
この発明では、ＰＣ鋼棒とアンカープレートの貫通孔との間の隙間に、ナットの螺着により袋体が破裂して流れ出る防錆剤を充填させる。
このことにより、ＰＣ鋼棒を用いるプレキャストコンクリート製品におけるＰＣ鋼棒の腐蝕による損傷を防止するための螺着作業が容易となる。
【００１０】
そして、本発明では、前記皿ばね座金における前記袋体が配置される内周面と、前記被取付部材または前記ナットとの間に介在される座金を具備した構成とすることが好ましい。
このことにより、皿ばね座金と座金との間で袋体が破裂して流出する液状充填材は、皿ばね座金の内周面側が座金にて閉塞される状態となっていることから、液状充填材が被取付部材の貫通孔およびボルト間により良好に流れ込み、座金を用いる簡単な構成でより効率よく充填できる。
【００１１】
本発明に記載の締結方法は、被取付部材の貫通孔に貫通されたボルトにナットを螺着して前記被取付部材を締結する締結方法であって、液状充填材を略液密に充填し前記ボルトを挿通する略環状に形成された袋体と、内周面側に前記締結部材が配置される略裁頭形状に形成された１つの皿ばね座金とを備えた締結装置を用い、前記被取付部材と前記ナットとの間に位置する状態に前記皿ばね座金を配置させるとともに、該皿ばね座金の内周面側と前記被取付部材または前記ナットとの間に前記袋体を配置させ、前記ナットを前記ボルトに螺着させて前記袋体を破裂させて前記液状充填材を前記貫通孔と前記ボルトとの間に流入させることを特徴とする。
この発明では、液状充填材を袋体内に略液密に充填した略環状の袋体を、被取付部材とナットとの間に配設した皿ばね座金の内周面と被取付部材またはナットとの間に位置する状態に配置させる。そして、ナットをボルトに螺着させて袋体を破裂させて液状充填材を貫通孔とボルトとの間に流入させる。
このことにより、袋体を座金のように装着させるのみで、通常の螺着作業により液状充填材の充填が得られ、締結作業性を向上できる。
【００１２】
本発明に記載の締結方法は、被取付部材の貫通孔に貫通されたボルトにナットを螺着して前記被取付部材を締結する締結方法であって、液状充填材を略液密に充填し内周側を外周側に連通させる切欠を有し該切欠を開くことで前記ボルトが挿通可能となる平面視略Ｃ字状に形成された袋体と、内周面側に前記締結部材が配置される略裁頭形状に形成された１つの皿ばね座金とを備えた締結装置を用い、前記被取付部材と前記ナットとの間に位置する状態に前記皿ばね座金を配置させるとともに、該皿ばね座金の内周面側と前記被取付部材または前記ナットとの間に前記袋体を配置させ、前記ナットを前記ボルトに螺着させて前記袋体を破裂させて前記液状充填材を前記貫通孔と前記ボルトとの間に流入させることを特徴とする。
この発明では、液状充填材を袋体内に略液密に充填した平面視略Ｃ字状の袋体を、被取付部材とナットとの間に配設した皿ばね座金の内周面と被取付部材またはナットとの間に位置する状態に配置させる。そして、ナットをボルトに螺着させて袋体を破裂させて液状充填材を貫通孔とボルトとの間に流入させる。
このことにより、ボルトにナットを取り付けた状態でも切欠からボルトを内周側に挿通させて被取付部材とナットとの間に配置させることができ、締結作業性を向上できる。
【発明を実施するための最良の形態】
【００１３】
以下、本発明を説明するための前提となる締結装置を図面に基づいて説明する。なお、この前提技術における締結装置は、例えばＰＣ（Prestressed Concrete）の製造に利用する構成を例示するが、本発明は、被取付部材をボルトおよびナットの螺着により締結する各種用途に利用できる。
図１は、本発明を説明するための前提となる締結装置の概略構成を示す断面図である。
【００１４】
〔締結装置の構成〕
図１において、１００は締結装置で、この締結装置１００は、例えばＰＣ杭の製造の際に用いられる。すなわち、締結装置１００は、被取付部材としての鋼板のアンカープレート１０１に設けられた貫通孔１０１Ａに嵌挿されたボルトとしてのＰＣ鋼棒１０２の雄ねじ部１０２Ａにナット１０３を螺着させて、アンカープレート１０１を締結すなわちＰＣ鋼棒１０２に緊張力を作用させる際に利用され、ＰＣ鋼棒１０２とアンカープレート１０１の貫通孔１０１Ａとの間に生じる隙間を閉塞させる。
この締結装置１００は、座金１１０と、一対の裁頭形状物としての皿ばね座金１２０と、締結部材１３０と、を備えている。
【００１５】
座金１１０は、例えば鋼板などにより、ＰＣ鋼棒１０２を貫通可能な平板環状に形成されている。この座金１１０は、アンカープレート１０１とナット１０３との間に位置して内周側にアンカープレート１０１の貫通孔に嵌挿されたＰＣ鋼棒１０２の雄ねじ部１０２Ａを嵌挿して配設される。
皿ばね座金１２０は、例えば鋼板などにより、ＰＣ鋼棒１０２を貫通可能な略平板環状で、外周縁が一面側に湾曲する略裁頭形状に形成されている。これら皿ばね座金１２０は、内周面が相対する状態に、アンカープレート１０１とナット１０３すなわち座金１１０との間に位置して、内周側にＰＣ鋼棒１０２の雄ねじ部１０２Ａを嵌挿して配設される。
【００１６】
締結部材１３０は、リング状の略液密な充填空間１３１Ａを有し、いわゆるタイヤチューブ状に形成された略環状の袋体１３１を備えている。そして、締結部材１３０は、袋体１３１の充填空間１３１Ａ内に液状充填材１３２が充填され、略環状に構成されている。
袋体１３１は、例えばポリエチレンなどの合成樹脂フィルムにて内周側にＰＣ鋼棒１０２を嵌挿可能な略環状で、軸方向での圧縮力の作用により内容物である充填された液状充填材１３２が流出する状態である破裂可能に形成されている。なお、合成樹脂フィルムに限らず、液状充填材１３２を液密に充填可能な各種材料を利用できる。
そして、合成樹脂フィルムを用いることで、液状充填材１３２を封入して所定の寸法の略環状に締結部材１３０を形成する際に、例えば２枚のシート状材を熱圧着などにより形成する食品の包装などに広く利用されている方法を利用できるので好ましい。さらに、合成樹脂フィルムを用いることにより、圧縮力の作用により潰される際に軸方向で略均一に圧縮力が作用される状態に変形されるので好ましい。そしてさらに、合成樹脂フィルムを用いる場合、ナット１０３が螺着されてＰＣ鋼棒１０２に緊張力が作用する状態でも厚さ寸法は数十μｍ程度であり、ＰＣ鋼棒１０２に緊張力を作用させる際には、ＰＣ鋼棒１０２の１ｍ当たり約４ｍｍの伸びとなるので、ＰＣ鋼棒１０２の緊張力の変動などに影響せず、ナット１０３の締め付けトルクもナット１０３の回転角などにより設定されるので影響せず、好ましい。
【００１７】
液状充填材１３２は、例えば防錆剤、タール、グリース、シーリング材など、袋体１３１の破裂により流れ出てアンカープレート１０１の貫通孔１０１Ａの内周面とＰＣ鋼棒１０２の外周面との間の隙間１０４に流れ込むことが可能な流動性を有した液状物である。この液状充填材１３２は、例えばＰＣ鋼棒１０２の腐食防止、隙間の液密や気密のためのシールなど、各種目的に応じて適宜選択される。
また、液状充填材１３２は、隙間１０４の容積に応じて、また防錆やシールなどの目的に応じて、必要量が袋体１３１の充填空間１３１Ａに充填される。すなわち、締結部材１３０は、液状充填材１３２の特性や隙間１０４の容積などに応じて、適宜の大きさに形成されている。
【００１８】
〔締結装置の動作〕
次に、上記締結装置１００の動作について、図面を参照して説明する。
図２は、ＰＣ鋼棒に緊張力を作用させた途中の状態を示す説明図である。
【００１９】
まず、アンカープレート１０１の貫通孔１０１Ａに貫通されたＰＣ鋼棒１０２の雄ねじ部１０２Ａに、一方の皿ばね座金１２０を外周縁側がアンカープレート１０１から離間する方向に湾曲する状態に装着する。この装着した皿ばね座金１２０の内周面側に載置する状態に、締結部材１３０を内周側にＰＣ鋼棒１０２の雄ねじ部１０２Ａを相対的に嵌挿させて装着する。この後、他方の皿ばね座金１２０を、締結部材１３０を覆うように内周側にＰＣ鋼棒１０２の雄ねじ部１０２Ａを相対的に嵌挿させて装着する。そして、座金１１０を装着し、図１に示すように、ナット１０３を取り付ける。
この状態で、ＰＣ鋼棒１０２をナット１０３が取り付けられた側と反対側に引っ張るように緊張力を作用、あるいは、ナット１０３をねじ込む。このことにより、皿ばね座金１２０が弾性あるいは塑性変形されて平板状に潰される状態となるとともに、皿ばね座金１２０間に介在する締結部材１３０も押し潰されるように袋体１３１が破裂して充填されていた液状充填材１３２が流れ出る。この液状充填材１３２が流れる際、皿ばね座金１２０は周縁同士が周方向で圧接する接合状態で内周面同士が近接するように変形するので、締結部材１３０は外周縁側から次第に押し潰される状態となり、内容物である液状充填材１３２は内周側へ絞り出される状態となる。このことにより、袋体１３１は内周側近傍が破裂する状態となる。さらに、流れ出る液状充填材１３２は、一対の皿ばね座金１２０の周縁同士が周方向で圧接する接合状態で皿ばね座金１２０の内周側が開放する状態となっていることから、液状充填材１３２は内側となるＰＣ鋼棒１０２側に流れ出る。さらに、液状充填材１３２は、流通抵抗が小さい隙間１０４へ絞り出されるように流れ込む状態となる。
【００２０】
〔締結装置の作用効果〕
上述したように、上記本発明を説明するための前提技術では、袋体１３１の略液密な充填空間１３１Ａに液状充填材１３２が充填された締結部材１３０を、アンカープレート１０１およびナット１０３間に配置させる。そして、ナット１０３の螺着、すなわちＰＣ鋼棒１０２への緊張力の作用やナット１０３のねじ込みにより、袋体１３１の充填空間１３１Ａが破裂して充填された液状充填材１３２が流れ出し、アンカープレート１０１の貫通孔１０１ＡとＰＣ鋼棒１０２との間の隙間１０４へ流れ込み、隙間１０４が充填、すなわちＰＣ鋼棒１０２の表面に液状充填材１３２が塗布された状態となる。
このため、締結部材１３０を装着するのみで、通常のナット１０３の螺着作業のみでアンカープレート１０１およびＰＣ鋼棒１０２間の隙間１０４が液状充填材１３２にて充填され、アンカープレート１０１の締結作業、すなわちＰＣ杭を製造する際のＰＣ鋼棒１０２の防錆処理の作業性を容易に向上できる。
【００２１】
そして、上記前提技術では、袋体１３１をＰＣ鋼棒１０２が挿通する略環状に形成している。
このため、締結部材１３０を座金１１０のように装着させるのみで容易に配設でき、締結作業性を向上できる。さらに、環状であることから、略均一に液状充填材１３２に圧縮力が作用する状態となり、液状充填材１３２の良好な流れ出しが得られる。
【００２２】
また、上記前提技術では、合成樹脂フィルムにて袋体１３１を形成している。
このため、上述したように、ナット１０３の螺着により破裂して液状充填材１３２が流れ出る構成が容易に得られるとともに、液状充填材１３２を充填して締結部材１３０を製造する工程も容易で、ナット１０３の螺着に影響を与えずに良好に螺着でき液状充填材１３２の充填によるＰＣ鋼棒１０２の保護などの良好な締結状態が得られる構成が容易で安価に提供できる。
【００２３】
そして、上記前提技術では、ＰＣ鋼棒１０２とアンカープレート１０１の貫通孔１０１Ａとの間の隙間１０４に、ナット１０３の螺着により袋体１３１が破裂して流れ出る液状充填材１３２である防錆剤を充填させる構成に適用している。
このため、ＰＣ鋼棒１０２を用いるプレキャストコンクリート製品におけるＰＣ鋼棒１０２の腐蝕による遅れ破壊などの損傷を防止するための、従来煩雑な作業のＰＣ鋼棒１０２の処理が容易にでき、ＰＣ鋼棒１０２に緊張力を作用させる螺着作業が容易にでき、特に有効である。
【００２４】
また、上記前提技術では、略裁頭形状の皿ばね座金１２０をアンカープレート１０１とナット１０３との間に配設するとともに、皿ばね座金１２０の内周面側に締結部材１３０を配置させている。
このため、ナット１０３の螺着により皿ばね座金１２０が略平板上に変形されつつ締結部材１３０の袋体１３１が内周側であるＰＣ鋼棒１０２側に向けて破裂する状態となり、袋体１３１が破裂して流れ出る液状充填材１３２が良好にアンカープレート１０１の貫通孔１０１ＡおよびＰＣ鋼棒１０２間の隙間１０４に流れ込み易くなり、広く出回っている簡単な構成の皿ばね座金１２０を利用する簡単な構成で、より効率よく良好に液状充填材１３２の充填が得られる。
【００２５】
さらに、皿ばね座金１２０を内周面が相対する状態に一対配設し、これら対向する皿ばね座金１２０間に締結部材１３０を配設させている。
このため、上述したように、液状充填材１３２がＰＣ鋼棒１０２側に向けて絞り出されるように流れるとともに、外周縁が互いに圧接する状態となるので、液状充填材１３２が外周側に漏れ出ることを防止でき、より効率よく良好に液状充填材１３２を充填できる。
【００２６】
〔実施形態の説明〕
なお、本発明は上述の前提技術に限定されるものではなく、本発明の要旨を逸脱しない本発明の目的を達成できる範囲での変形、改良などの種々の変更は本発明に含まれるものである。
【００２７】
すなわち、上述したように、ＰＣの製造に適用するのみならず、ボルトおよびナットの螺着により被取付部材を締結する各種用途に適用できる。例えば、２枚の重ね合わされる鋼板をボルトおよびナットの螺着により締結すなわち一体に連結する場合などにも利用できる。
そして、本発明の実施形態では、上述した前提技術で座金１１０を用いたが、前提技術と同様、座金１１０を用いなくてもよい。
【００２８】
また、上記前提技術では皿ばね座金１２０を内周面が相対する状態に一対設けて説明したが、本発明では１つのみ利用するものである。
例えば、締結部材１３０をＰＣ鋼棒１０２に装着した後にこの締結部材１３０を覆うように皿ばね座金１２０を取り付けてもよい。
一方、皿ばね座金１２０を内周面がナット１０３側に対向するように装着した後に締結部材１３０を皿ばね座金１２０の内周面側に載置する状態に取り付けてもよい。この場合、さらに締結部材１３０を覆うように座金１１０を装着すると、液状充填材１３２が内周側へ流出し易くなるので好ましい。
【００２９】
また、締結部材１３０としては、環状に限らず、平面視略Ｃ字状としてもよい。
すなわち、内周縁が外周縁に連通する切欠を有する構成としてもよい。この構成では、ＰＣ鋼棒１０２を切欠から内周側に相対的に挿入させることで取り付けることができる。なお、平面視略Ｃ字状の場合には、切欠を広げるようにしてＰＣ鋼棒１０２に装着させればよい。このことにより、既にナット１０３がＰＣ鋼棒１０２に取り付けられた状態でも、ナット１０３や座金１１０を取り外すことなく締結部材１３０を装着できるので汎用性および作業性を向上できる。
【００３０】
さらに、締結部材１３０としては、環状の充填空間１３１Ａを１つ有した締結部材１３０を用いて説明したが、例えば周方向で充填空間１３１Ａを複数区画した構成としてもよい。この構成によれば、各充填空間１３１Ａの破裂により複数箇所から液状充填材１３２が隙間１０４へ流れ込む状態となる。
【００３１】
その他、本発明の実施の際の具体的な構造および手順などは、本発明の目的を達成できる範囲で他の構成に変更するなどしてもよい。
【実施例】
【００３２】
次に、本発明の締結装置における液状充填材の充填状況を確認する実験について図面を参照して説明する。なお、本発明は、以下の実験例に限定されるものではない。
図３は、実験装置を示す断面図である。
【００３３】
（実験装置）
ＰＣ鋼棒１０２として、径寸法が３２ｍｍの規格品（ねじの呼び；Ｍ３３×２  高周波熱錬株式会社規格）を用いた。
ナット１０３には、規格品（Ｂ＝５８ｍｍ，Ｈ＝４９ｍｍ  高周波熱錬株式会社規格）を用いた。
座金１１０には、規格品（Ｄ＝７２ｍｍ，ｄ＝３４．５ｍｍ，厚さ寸法ｔ＝４．５ｍｍ
高周波熱錬株式会社規格）を用いた。
アンカープレート１０１には、規格品（貫通孔１０１Ａの径寸法ｄ１＝３６ｍｍ，厚さ寸法ｔ＝３２ｍｍ（Ｇ孔なし）  高周波熱錬株式会社規格）を用いた。
皿ばね座金１２０には、軽荷重用の規格品Ｂ−７１（Ｄ＝７１，ｄ＝３６  高周波熱錬株式会社規格）を用いた。
締結部材１３０としては、液状充填材として流動性物であるねりからしを封入した約２ｇのねりからしパック（テーオー食品株式会社製）を粘着テープにて略環状に４つ連結して形成した。
【００３４】
そして、図３に示すように、図示しない油圧ジャッキ（理研精機株式会社製  商品名；BS7.7-720-10）にＰＣ鋼棒１０２を連結し、油圧ジャッキの筐体に略円筒状の治具であるチェア１６０を介してアンカープレート１０１を配置させ、締結部材１３０を間に挟み込んだ一対の皿ばね座金１２０、座金１１０およびナット１０３をＰＣ鋼棒１０２に装着した。この状態で、油圧ジャッキを駆動させてＰＣ鋼棒１０２をアンカープレート１０１から引き抜く状態にナット１０３側と反対側へ緊張力を作用させた。
この結果、約１０ｋＮで載荷した時点で、ねりからしパックが破裂した。そして、油圧ジャッキの駆動を停止させ、ねりからしの充填状況を確認した。その結果、ＰＣ鋼棒１０２の全周に亘って、かつＰＣ鋼棒１０２がアンカープレート１０１の貫通孔１０１Ａに嵌挿している位置、すなわち隙間１０４の内部までねりからしが付着していることが認められた。
【図面の簡単な説明】
【００３５】
【図１】本発明を説明するための前提となる締結装置の概略構成を示す断面図である。
【図２】上記前提技術におけるＰＣ鋼棒に緊張力を作用させた状態を示す説明図である。
【図３】本発明の締結装置における液状充填材の充填状況を確認する実験装置の構成を示す断面図である。
【符号の説明】
【００３６】
１００……締結装置
１０１……被取付部材としてのアンカープレート
１０１Ａ…貫通孔
１０２……ボルトとしてのＰＣ鋼棒
１０３……ナット
１０４……隙間
１１０……座金
１２０……皿ばね座金
１３０……締結部材
１３１……袋体
１３１Ａ…充填空間
１３２……液状充填材
【図１】
0004700640.tif 000002
【図２】
0004700640.tif 000003
【図３】
0004700640.tif 000004